【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
（ｂ）（i）数平均分子量が５００〜５０，０００であり、
（ii）１分子当たり１〜１０個の水酸基を有し、
（iii）ポリブタジエンポリオール、ポリイソプレンポリオール、水素化ポリブタ
ジエンポリオールおよび水素化ポリイソプレンポリオールからなる群から選ばれ
る１種または２種以上である
ポリオール（ｂ１）を１０ｍｏｌ％以上含有するポリオール
（ただし、該ポリオール（ｂ）の総量を１００ｍｏｌ％とする。）
を原料に用いて製造されたことを特徴とするカルボキシル基含有ポリウレタン（Ａ）。
【請求項２】
（a）ポリイソシアネート化合物、
（b）（i）数平均分子量が５００〜５０，０００であり、
（ii）１分子当たり１〜１０個の水酸基を有し、
（iii）ポリブタジエンポリオール、ポリイソプレンポリオール、水素化ポリブタ
ジエンポリオールおよび水素化ポリイソプレンポリオールからなる群から選ばれ
る１種または２種以上である
ポリオール（ｂ１）を、１０ｍｏｌ％以上含有するポリオール
（ただし、該ポリオール（ｂ）の総量を１００ｍｏｌ％とする。）、
（c）カルボキシル基を有するジヒドロキシ化合物、
必要に応じて
（d）モノヒドロキシ化合物（ただし、前記ポリオール（b）を除く。）ならびに
必要に応じて
（e）モノイソシアネート化合物
を反応させて得られることを特徴とする請求項１に記載のカルボキシル基含有ポリウレタン（Ａ）。
【請求項３】
前記ポリイソシアネート化合物（a）が、その総量（１００ｍｏｌ％）に対して、イソシアネート基（ＮＣＯ基）中の炭素原子以外の炭素原子数が６〜３０である脂環式化合物を少なくとも１０ｍｏｌ％以上含有していることを特徴とする請求項２に記載のカルボキシル基含有ポリウレタン（Ａ）。
【請求項４】
前記ポリイソシアネート化合物（a）が、１，４−シクロヘキサンジイソシアネート、イソホロンジイソシアネート、メチレンビス（４−シクロヘキシルイソシアネート）、シクロヘキサン−１，３−ジメチレンジイソシアネートおよびシクロヘキサン−１，４−ジメチレンジイソシアネートからなる群より選ばれる１種または２種以上のポリイソシアネート化合物であることを特徴とする請求項２または３に記載のカルボキシル基含有ポリウレタン（Ａ）。
【請求項５】
前記ポリオール（b）が、その総量（１００ｍｏｌ％）に対して、1,2-繰り返し単位を有するポリブタジエン及び／又はその水素化物を７０ｍｏｌ％以上含有していることを特徴とする請求項１〜４のいずれかに記載のカルボキシル基含有ポリウレタン（Ａ）。
【請求項６】
前記ポリオール（b）が、数平均分子量が５００〜５，０００であり、１分子当たり２〜４個の水酸基を有する、ポリブタジエンポリオール及び／又は水素化ポリブタジエンポリオールであることを特徴とする請求項１〜５のいずれかに記載のカルボキシル基含有ポリウレタン（Ａ）。
【請求項７】
前記ジヒドロキシル化合物（c）が、２，２−ジメチロールプロピオン酸および／または２，２−ジメチロールブタン酸であることを特徴とする請求項２〜６のいずれかに記載のカルボキシル基含有ポリウレタン（Ａ）。
【請求項８】
前記モノヒドロキシ化合物（d）が、２−ヒドロキシエチルアクリレート、２−ヒドロキシエチルメタクリレート、アリルアルコール、グリコール酸およびヒドロキシピバリン酸からなる群より選ばれる１種または２種以上のモノヒドロキシ化合物であることを特徴とする請求項２〜７のいずれかに記載のカルボキシル基含有ポリウレタン（Ａ）。
【請求項９】
前記モノヒドロキシ化合物（d）が、メタノール、エタノール、ｎ−プロパノール、イソプロパノール、ｎ−ブタノール、イソブタノール、ｓｅｃ−ブタノールおよびｔ−ブタノールからなる群より選ばれる１種または２種以上のモノヒドロキシ化合物であることを特徴とする請求項２〜７のいずれかに記載のカルボキシル基含有ポリウレタン（Ａ）。
【請求項１０】
数平均分子量が１，０００〜１００，０００であり、酸価が５〜１２０ｍｇＫＯＨ／ｇであることを特徴とする請求項１〜９のいずれかに記載のカルボキシル基含有ポリウレタン（Ａ）。
【請求項１１】
請求項１〜１０のいずれかに記載のカルボキシル基含有ポリウレタン（Ａ）と、塩基性化合物を含まず、沸点が１１０℃以上である溶媒とを含有することを特徴とするカルボキシル基含有ポリウレタン溶液。
【請求項１２】
前記溶媒が、トルエン、キシレン、エチルベンゼン、ニトロベンゼン、イソホロン、ジエチレングリコールジメチルエーテル、エチレングリコールジエチルエーテル、プロピレングリコールメチルエーテルアセテート、プロピレングリコールエチルエーテルアセテート、ジプロピレングリコールメチルエーテルアセテート、ジエチレングリコールエチルエーテルアセテート、メトキシプロピオン酸メチル、メトキシプロピオン酸エチル、エトキシプロピオン酸メチル、エトキシプロピオン酸エチル、酢酸ｎ−ブチル、酢酸イソアミル、乳酸エチル、シクロヘキサノン、Ｎ，Ｎ−ジメチルホルムアミド、Ｎ，Ｎ−ジメチルアセトアミド、Ｎ−メチルピロリドン、γ−ブチロラクトン、およびジメチルスルホキシドからなる群より選ばれる１種または２種以上の溶媒であることを特徴とする、請求項１１に記載のカルボキシル基含有ポリウレタン溶液。
【請求項１３】
固形分濃度が３０〜８０重量％であることを特徴とする請求項１１または１２に記載のカルボキシル基含有ポリウレタン溶液。
【請求項１４】
請求項１〜１０のいずれかに記載のカルボキシル基含有ポリウレタン（Ａ）１００重量部および（Ｂ）エポキシ樹脂１〜１００重量部を含有してなる熱硬化性樹脂組成物。
【請求項１５】
前記エポキシ樹脂（Ｂ）が、ビスフェノールＡ型エポキシ樹脂、ビスフェノールＦ型エポキシ樹脂、フェノールノボラック型エポキシ樹脂、ｏ−クレゾールノボラック型エポキシ樹脂、ビフェニル型エポキシ樹脂、アミン型エポキシ樹脂、複素環含有エポキシ樹脂および脂環式エポキシ樹脂からなる群より選ばれる１種または２種以上のエポキシ樹脂であることを特徴とする請求項１４に記載の熱硬化性樹脂組成物。
【請求項１６】
前記カルボキシル基含有ポリウレタン（Ａ）の酸価が５〜１２０ｍｇＫＯＨ／ｇであることを特徴とする請求項１４または１５に記載の熱硬化性樹脂組成物。
【請求項１７】
前記カルボキシル基含有ポリウレタン（Ａ）のカルボキシル基に対する、前記エポキシ樹脂（Ｂ）の中のエポキシ基の当量比が０．２〜２であることを特徴とする請求項１４〜１６のいずれかに記載の熱硬化性樹脂組成物。
【請求項１８】
前記カルボキシル基含有ポリウレタン（Ａ）１００質量部に対して（Ｃ）無機及び／又は有機微粒子１〜９０質量部をさらに含有することを特徴とする請求項１４〜１７のいずれかに記載の熱硬化性樹脂組成物。
【請求項１９】
硬化剤（Ｄ）が、前記カルボキシル基含有ポリウレタン（Ａ）と前記エポキシ樹脂（Ｂ）との合計１００質量部に対して、０．１〜２５質量部含まれていることを特徴とする請求項１４〜１８のいずれかに記載の熱硬化性樹脂組成物。
【請求項２０】
硬化剤（Ｄ）がアミン、四級アンモニウム塩、酸無水物、ポリアミド、窒素含有複素環化合物、有機金属化合物からなる群から選ばれた少なくとも１種であることを特徴とする請求項１９に記載の熱硬化性樹脂組成物。
【請求項２１】
請求項１４〜２０のいずれかに記載の熱硬化性樹脂組成物と非含窒素系極性溶媒とを含有してなることを特徴とする皮膜材料形成用ペースト。
【請求項２２】
請求項１１〜１３のいずれかに記載のカルボキシル基含有ポリウレタン溶液、請求項１４〜２０のいずれかに記載の熱硬化性樹脂組成物または請求項２１に記載の皮膜材料形成用ペーストを含有してなることを特徴とするソルダーレジストインキ。
【請求項２３】
請求項２２に記載のソルダーレジストインキを硬化させてなる硬化物。